(57)【特許請求の範囲】
【請求項１】
水性噴霧組成物であって、該組成物の重量に対して０.００１〜５０重量／重量％の少なくとも１つの農業用化合物、該組成物の重量に対して０.０００５〜１重量／重量％の５×１０5ダルトン以上の分子量を有する水溶性ポリ（エチレンオキシド）、及び該組成物の重量に対して少なくとも０.０５重量／重量％の、スルホン化表面活性剤、硫酸化表面活性剤及びこれらの混合物からなる群からの表面活性剤、を含んでなり、該表面活性剤が少なくとも９つの炭素原子を含む少なくとも１つの直鎖又は分岐の炭素鎖を有する、ことを特徴とする水性噴霧組成物。
【請求項２】
水性噴霧組成物に、該組成物の重量に対して０.００１〜５０重量／重量％の少なくとも１つの農業用化合物、該組成物の重量に対して０.０００５〜１重量／重量％の５×１０5ダルトン以上の分子量を有する水溶性ポリ（エチレンオキシド）、及び該組成物の重量に対して少なくとも０.０５重量／重量％の、スルホン化表面活性剤、硫酸化表面活性剤及びこれらの混合物からなる群からの表面活性剤、を添加することからなり、該表面活性剤が少なくとも９つの炭素原子を含む少なくとも１つの直鎖又は分岐の炭素鎖を有する、ことを特徴とする該組成物の噴霧水滴の中位直径を増大させ且つその噴霧ドリフトを減少させる方法。
【発明の詳細な説明】
【０００１】
本発明は、噴霧ドリフト（ｄｒｉｆｔ）に対する可能性の減ぜられた水性噴霧組成物、及びその製造法に関する。
【０００２】
水性噴霧組成物は、農業用化合物を施用するために数十年間に亘って使用されてきた。しかしながら、水性噴霧組成物では、噴霧ドリフトが起こるから完全には満足されるものではない。噴霧ドリフトは農業用化合物の過少な／過多な施用が起こる場合に特に望ましくない。更に、噴霧ドリフトは目標としない場所を許容できない程度の農業用化合物で汚染することがある。
【０００３】
近年、農業用の噴霧施用からのドリフトに対する可能性は、強い研究問題となってきた。その研究の１つの結果は、ドリフトに関わる最も重要な因子の１つとして噴霧水滴の寸法を示したことである。現在、高分子量の水溶性重合体が、水滴の寸法を増大させ、これによってドリフトを減少させるために、噴霧組成物に添加されている。しかしながら、高分子量の水溶性重合体は、水滴の寸法を成功裏に増大させるために必要とされる濃度で用いるには費用が掛かりすぎるため、完全には満足されてはいない。
【０００４】
本発明は、水溶性重合体約０．０００５〜１重量／重量％及びスルホン化表面活性剤、硫酸化表面活性剤及びこれらの混合物からなる群からの表面活性剤少なくとも約０．０５重量／重量％を含んでなるが、但し表面活性剤が少なくとも９つの炭素原子を含む少なくとも１つの直鎖又は分岐鎖の炭素鎖を有する、水性噴霧組成物を提供する。好ましくは該重合体は、ポリ（エチレンオキシド）、ポリ（ビニルアルコ−ル）、ポリ（ビニルピロリドン）、ポリ（ビニルエ−テル）、セルロ−スエ−テル、及びこれらの混合物からなる群から選択される。
【０００５】
本発明は、更に水性噴霧組成物の噴霧ドリフトを減ずる方法及び噴霧水滴の中位直径を増大させる方法を提供する。  有利には、本発明は通常の噴霧ドリフト制御添加剤、例えば高分子量の水溶性重合体を含む噴霧組成物と比べて、噴霧ドリフトの可能性の減少した水性噴霧組成物を提供する。本発明の水性噴霧組成物は、好ましくは重合体約０．００５〜０．０５重量／重量％及び表面活性剤少なくとも約０．０５〜１重量／重量％を含有する。
【０００６】
それゆえに、本発明の目的は増大した水滴寸法を有し且つ減少した噴霧ドリフトの可能性を示す水性噴霧組成物を提供することである。
【０００７】
本発明の他の目的は、水性噴霧組成物の中位水滴直径を増大させ且つその噴霧ドリフトの可能性を減ずる方法を提供することである。
【０００８】
本発明の更なる目的は、以下の記述から同業者には明白となるであろう。
【０００９】
本発明の１つの好適な具体例においては、農業用化合物例えば除草剤を含有する水性噴霧組成物に、水溶性重合体約０．０００５〜約１重量％及びスルホン化又は硫酸化表面活性剤約０．０５−約１重量％を添加して本発明の水性噴霧組成物を製造する。
【００１０】
本発明の重合体及び表面活性剤が水性噴霧組成物中に存在する場合、噴霧水滴の中位直径は劇的に増大することが発見された。より大きい水滴は噴霧ドリフトを減ずることが判明した。
【００１１】
本発明における表面活性剤及び重合体の組み合わせは、有意に増大した水滴寸法と減少した噴霧ドリフトの可能性を提供するのに重要である。本発明の水溶性重合体及び表面活性剤は、水性組成物中において互いに会合し又は錯合化して水滴寸法の増大化を促進すると思われる。これらの大きな水滴は噴霧したとき噴霧ドリフトしにくく、組成物をより正確に、必要とされる場所へ施用させる。
【００１２】
一般に、本発明の水滴寸法を有利に増大させるには、少なくとも０．０５重量％の表面活性剤及び約０．０００５％の重合体の必要なことが分った。必要とされる正確な量は、組成物の他の要素、重合体の選択及び表面活性剤の選択に依存して変化し、表面活性剤及び／又は重合体を増加させると水滴の寸法が更に増大する。与えられた組成に対して最良の、正確なパ−セントは、同業者が容易に決定できることであり、噴霧水滴に所望の中位寸法に依存しよう。
【００１３】
最適な水滴寸法は、組成を用いる施用法に依存しよう。水滴が大きすぎると、噴霧による被覆が少なくなる、即ち大きい水滴はある場所に落下し、一方それらの場所の間へは殆ど又は全然噴霧組成物が届かない。最大の許容できる水滴寸法は面積当たりに施用される組成物量及び噴霧被覆の必要な均一性に依存する。より小さな水滴はより均一な被覆を与えるが、噴霧ドリフトしがちである。噴霧中に特に風がある場合、大きい水滴は好適であり、一方穏やかな日には小さい水滴が好適である。
【００１４】
噴霧水滴の寸法は、噴霧器、例えばノズルの寸法及び形にも依存しよう。同業者は、容易に組成物中の表面活性剤及び／又は重合体のパ−セントを調節して、与えられた装置、施用法及び条件に対する望ましい水滴寸法を与えることができよう。
【００１５】
本発明に好適な重合体は、ポリ（エチレンオキシド）、ポリ（ビニルアルコ−ル）、ポリ（ビニルピロリドン）、ポリ（ビニルエ−テル）、及びセルロ−スエ−テルを含み、これらの重合体のすべては約２ｘ１０５ダルトン以上の分子量を有する。約５ｘ１０５ダルトン以上の分子量を有するポリ（エチレンオキシド）はより好適であり、約１ｘ１０６−１ｘ１０７ダルトン以上の分子量を有するポリ（エチレンオキシド）重合体は最も好適である。
【００１６】
表面活性剤は、本発明の特に重要な要素であり、少なくとも約０．０５重量／重量％で存在する。本発明で用いるのに適当な表面活性剤は、α−オレフィンスルホネ−ト、アルキルアリ−ルスルホン酸及びその塩、アルキルスルフェ−ト、α−オレフィンスルフェ−ト、エトキシル化アルコ−ルスルフェ−ト、及びエトキシル化アルキルフェノ−ルスルフェ−トを含み、これらのすべては少なくとも９つの炭素原子を含む少なくとも１つの直鎖又は分岐の炭素鎖を有する。この炭素鎖長は、増大した水滴寸法及び減少した噴霧ドリフトの可能性を促進するために重要である。
【００１７】
本発明で用いるのに好適である表面活性剤は、α−（Ｃ９−Ｃ１８）オレフィンスルホネ−ト、例えばα−（Ｃ１４−Ｃ１６）オレフィンスルホネ−ト、Ｃ９−Ｃ１８アルキルベンゼンスルホン酸及びその塩及びトリエタノ−ルアミンドデシルベンゼンスルホネ−ト、Ｃ９−Ｃ１８アルキルスルフェ−ト、例えばデシル硫酸ナトリウム及びドデシル硫酸ナトリウム、α−（Ｃ９−Ｃ１８）オレフィンスルフェ−ト、例えばα−（Ｃ１４−Ｃ１６）オレフィンスルフェ−ト、エトキシル化Ｃ９−Ｃ１８アルコ−ルスルフェ−ト、例えばドデシルアルコ−ル（エトキシレ−ト−３）硫酸ナトリウム及びトリデシルアルコ−ル（エトキシレ−ト−３）硫酸ナトリウム、並びにエトキシル化Ｃ９−Ｃ１８アルキルフェノ−ルスルフェ−ト、例えばエトキシル化ノニルフェノ−ルスルフェ−トを含む。
【００１８】
本発明の組成物は、農業用化合物、例えば有害生物防除剤、植物成長調節剤、緩和剤、及びこれらの混合物の施用に有用である。特に本発明の組成物は、有害生物防除剤例えば除草剤、殺虫剤、殺菌剤、殺線虫剤、及び殺軟体動物剤に有用である。一般に、農業用化合物は、本発明の噴霧組成物中に約５０重量／重量％までの量で存在し、好ましくは約０．００１〜５０重量／重量％までの量で存在する。本発明の組成物中に存在する農業用化合物の量は、種々の因子例えば噴霧容量、施用割合及び施用方法（例えば空中、トラクタ−施用）に依存しよう。
【００１９】
本発明は、水性噴霧組成物に、重合体約０．０００５〜１重量／重量％及び本発明の表面活性剤少なくとも約０．０５重量／重量％を添加することを含んでなる水性噴霧組成物の噴霧水滴の中位直径を増大させ且つその噴霧ドリフトを減少させる方法も提供する。有利には、重合体及び表面活性剤は、噴霧に先立つ場で組成物に添加でき、又は施用形態の組成物の場合には組成物の製造中に添加できる。
【００２０】
ある具体例において、農業用化合物を含む本発明の水性噴霧組成物は、（１）濃業用化合物を含む濃厚物、（２）十分な量の重合体、（３）十分な量の表面活性剤、及び（４）水を一緒に混合することによって製造できる。更なる添加剤例えば消泡剤、染料、保存剤なども、本発明の噴霧組成物に添加しうる。
【００２１】
本発明の更なる理解を容易にするために、主にその特別な詳細を例示する目的で、次の実施例を提示する。本発明は、特許請求の範囲を除いて、これらによって限定されるものと見做すべきでない。
【００２２】
【実施例】
実施例  １
種々のポリエチレンオキシド／表面活性剤組成物の中位水滴寸法の評価
０．１５重量／重量％のドデシルベンゼンスルホン酸ナトリウム及び種々の量のポリ（エチレンオキシド）樹脂を、脱イオン水に溶解して水性噴霧組成物を調製した。対照組成物（表面活性剤無添加）は、種々の量のポリ（エチレンオキシド）樹脂を脱イオン水に溶解して調製した。ついでこの組成物を、加圧空気貯蔵器により、テイ−ジェット（Ｔｅｅｊｅｔ）８００１フラット・ファン・ノズル［スプレイング・システムズ社（Ｓｐｒａｙｉｎｇｙ  Ｓｙｓｔｅｍｓ  Ｃｏ．）］から４０ｐｓｉで噴霧した．マルバ−ン・マスタ−サイザ−（Ｍａｌｖｅｒｎ  Ｍａｓｔｅｒｓｉｚｅｒ）粒子計［マルバ−ン・インスツルメント社（Ｍａｌｖｅｒｎ  Ｉｎｓｔｒｕｍｅｎｔ  Ｃｏ．）］の光線を、噴霧ノズルの下１２．５ｃｍの所に位置させ、水滴の中位直径を決定した。結果を表Ｉ，ＩＩ，及びＩＩＩに報告する。
【００２３】
表Ｉ，ＩＩ，及びＩＩＩのデ−タから分るように、本発明の水性噴霧組成物によって作られた中位水滴直径は、ポリ（エチレンオキシド）樹脂が同一の濃度の対照組成物の作る中位水滴直径よりもかなり大きかった。
【００２４】
【表１】
0003995293.tif 000002
【００２５】
【表２】
0003995293.tif 000003
【００２６】
【表３】
0003995293.tif 000004
【００２７】
以上本発明の組成物を例示し、濃業用化合物を含んでなる組成物に関して記述してきたけれど、本発明はそのような組成物に限定されるものでなく、特許請求の範囲に含まれるすべての主題関連事項を包含するものである。
【００２８】
本発明の特徴及び態様は以下の通りである。
【００２９】
１、水溶性重合体約０．０００５〜１重量／重量％及びスルホン化表面活性剤、硫酸化表面活性剤及びこれらの混合物からなる群からの表面活性剤少なくとも約０．０５重量／重量％を含んでなるが、但し表面活性剤が少なくとも９つの炭素原子を含む少なくとも１つの直鎖又は分岐の炭素鎖を有する、水性噴霧組成物。
【００３０】
２、該重合体がポリ（エチレンオキシド）、ポリ（ビニルアルコ−ル）、ポリ（ビニルピロリドン）、ポリ（ビニルエ−テル）、セルロ−スエ−テル、及びこれらの混合物からなる群から選択される上記１の組成物。
【００３１】
３、該重合体が約０．００５〜０．０５重量／重量％及び表面活性剤が約０．０５〜１重量／重量％で存在する上記１の組成物。
【００３２】
４、該重合体が約２ｘ１０５ダルトン以上の分子量を有するポリ（エチレンオキシド）、約２ｘ１０５ダルトン以上の分子量を有するポリ（ビニルアルコ−ル）、約２ｘ１０５ダルトン以上の分子量を有するポリ（ビニルピロリドン）、及びこれらの混合物からなる群から選択される上記１の組成物。
【００３３】
５、ポリ（エチレンオキシド）が約５ｘ１０５ダルトン以上の分子量を有する上記４の組成物。
【００３４】
６、ポリ（エチレンオキシド）が約１ｘ１０６〜１ｘ１０７ダルトンの分子量を有する上記５の組成物。
【００３５】
７、該表面活性剤がα−オレフィンスルホネ−ト、アルキルアリ−ルスルホン酸及びその塩、アルキルスルフェ−ト、α−オレフィンスルフェ−ト、エトキシル化アルコ−ルスルフェ−ト、エトキシル化アルキルフェノ−ルスルフェ−ト、及びこれらの混合物を含む上記１の組成物。
【００３６】
８、該α−オレフィンスルホネ−トがα−（Ｃ９−Ｃ１８）オレフィンスルホネ−ト、該アルキルアリ−ルスルホン酸又はその塩がＣ９−Ｃ１８アルキルベンゼンスルホン酸又はその塩、該アルキルスルフェ−トがＣ９−Ｃ１８アルキルスルフェ−ト、該α−オレフィンスルフェ−トがα−（Ｃ９−Ｃ１８）オレフィンスルフェ−ト、該エトキシル化アルコ−ルスルフェ−トがエトキシル化Ｃ９−Ｃ１８アルコ−ルスルフェ−ト、及び該エトキシル化アルキルフェノ−ルスルフェ−トがエトキシル化Ｃ９−Ｃ１８アルキルフェノ−ルスルフェ−トである上記７の組成物。
【００３７】
９、更に農業用化合物を約５０重量／重量％まで含有する上記１の組成物。
【００３８】
１０、該農業用化合物が有害生物防除剤である上記９の組成物。
【００３９】
１１、水性噴霧組成物に、ポリ（エチレンオキシド）、ポリ（ビニルアルコ−ル）、ポリ（ビニルピロリドン）、ポリ（ビニルエ−テル）、セルロ−スエ−テル、及びこれらの混合物からなる群から選択される重合体約０．０００５〜１重量／重量％及びスルホン化表面活性剤、硫酸化表面活性剤及びこれらの混合物からなる群からの表面活性剤少なくとも約０．０５重量／重量％を添加することを含んでなるが、但し表面活性剤が少なくとも９つの炭素原子を含む少なくとも１つの直鎖又は分岐の炭素鎖を有する、該組成物の噴霧水滴の中位直径を増大させ且つその噴霧ドリフトを減少させる方法。
【００４０】
１２、該重合体が約０．００５〜０．０５重量／重量％及び表面活性剤が約０．０５〜１重量／重量％で添加される上記１１の方法。
【００４１】
１３、該重合体が約２ｘ１０５ダルトン以上の分子量を有するポリ（エチレンオキシド）、約２ｘ１０５ダルトン以上の分子量を有するポリ（ビニルアルコ−ル）、約２ｘ１０５ダルトン以上の分子量を有するポリ（ビニルピロリドン）、及びこれらの混合物からなる群から選択される上記１１の方法。
【００４２】
１４、該スルホン化表面活性剤がα−オレフィンスルホネ−ト又はアルキルアリ−ルスルホン酸又はその塩、該硫酸化表面活性剤がアルキルスルフェ−ト、α−オレフィンスルフェ−ト、エトキシル化アルコ−ルスルフェ−ト又はエトキシル化アルキルフェノ−ルスルフェ−トである上記１１の方法。
【００４３】
１５、該α−オレフィンスルホネ−トがα−（Ｃ９−Ｃ１８）オレフィンスルホネ−ト、該アルキルアリ−ルスルホン酸及びその塩がＣ９−Ｃ１８アルキルベンゼンスルホン酸又はその塩、該アルキルスルフェ−トがＣ９−Ｃ１８アルキルスルフェ−ト、該α−オレフィンスルフェ−トがα−（Ｃ９−Ｃ１８）オレフィンスルフェ−ト、該エトキシル化アルコ−ルスルフェ−トがエトキシル化Ｃ９−Ｃ１８アルコ−ルスルフェ−ト、及び該エトキシル化アルキルフェノ−ルスルフェ−トがエトキシル化Ｃ９−Ｃ１８アルキルフェノ−ルスルフェ−トである上記１４の方法。
【００４４】
１６、該水性噴霧組成物が更に農業用化合物を約５０重量／重量％まで含有する上記１１の方法。